(57)【要約】【課題】電池駆動のスピーカの無駄な駆動を抑え、消費電力を低減し、電源電池の寿命を長くする。【解決手段】電源電池３から供給される電力により動作し、入力されたオーディオ信号を増幅するスピーカ駆動用アンプ５と、このスピーカ駆動用アンプ５の出力により駆動されるスピーカ６とを備えたスピーカシステムにおいて、入力されたオーディオ信号をバンドバス・フイルタ４へ入力して、オーディオ信号からスピーカが再生可能な周波数帯域外のオーディオ信号をカットし、スピーカ６の再生可能な周波数帯域に制限されたオーディオ信号をスピーカ駆動用アンプ５へ入力する。【選択図】図１
2009111663.tif 000002
【特許請求の範囲】
【請求項１】
電源電池から供給される電力により動作し、入力されたオーディオ信号を増幅するスピーカ駆動用アンプと、前記スピーカ駆動用アンプの出力により駆動されるスピーカとを備えたスピーカシステムの消費電力低減方法であって、
オーディオ信号を入力するオーディオ信号入力ステップと、
前記入力されたオーディオ信号から前記スピーカが再生可能な周波数帯域外のオーディオ信号をカットする再生周波数帯域制限ステップと、
前記再生周波数帯域制限ステップによって得た前記スピーカが再生可能な周波数帯域に制限されたオーディオ信号を入力し増幅するオーディオ信号増幅ステップと、
前記オーディオ信号増幅ステップによって増幅された前記スピーカが再生可能な周波数帯域に制限されたオーディオ信号を前記スピーカへ供給し再生するオーディオ信号再生ステップと、
からなることを特徴とするスピーカシステムの消費電力低減方法。
【請求項２】
電源電池から供給される電力により動作し、入力されたオーディオ信号を増幅するスピーカ駆動用アンプと、前記スピーカ駆動用アンプの出力により駆動されるスピーカとを備えたスピーカシステムにおいて、
前記入力されたオーディオ信号から前記スピーカが再生可能な周波数帯域外のオーディオ信号をカットし、前記スピーカの再生可能な周波数帯域に制限されたオーディオ信号を前記スピーカ駆動用アンプへ入力するように構成したことを特徴とするスピーカシステム。
【請求項３】
電源電池と、
前記電源電池から供給される電力により動作し、入力されたオーディオ信号を増幅するスピーカ駆動用アンプと、
前記スピーカ駆動用アンプの出力により駆動されるスピーカと、
を備えたスピーカシステムにおいて、
前記入力されたオーディオ信号から前記スピーカが再生可能な周波数帯域外のオーディオ信号をカットする再生周波数帯域制限手段を前記スピーカ駆動用アンプより前段に備えたことを特徴とするスピーカシステム。
【請求項４】
前記再生周波数帯域制限手段を介して得た前記スピーカが再生可能な周波数帯域に制限したオーディオ信号と、全周波数帯域を含むオーディオ信号とを切り換えて前記スピーカ駆動用アンプへ入力する切り換え手段を前記スピーカ駆動用アンプの前段に設けたことを特徴とする請求項３記載のスピーカシステム。
【請求項５】
前記切り換え手段は、前記電源電池の残り容量を監視する電源監視手段と、前記電源監視手段の監視により前記電源電池の残り容量が所定値以下となったことが検出されたときに、前記再生周波数帯域制限手段を介して得た前記スピーカが再生可能な周波数帯域に制限されたオーディオ信号を前記スピーカ駆動用アンプへ入力するように切り換え制御する制御手段とを備えたことを特徴とする請求項４記載のスピーカシステム。
【請求項６】
電源電池と、
前記電源電池から供給される電力により動作し、入力されたオーディオ信号を増幅するスピーカ駆動用アンプと、
前記スピーカ駆動用アンプの出力により駆動されるスピーカと、
を備えたスピーカシステムにおいて、
前記スピーカ駆動用アンプの入力側に設けたハイパス・フィルタと、前記スピーカ駆動用アンプに組み込まれている発振防止用のローパス・フィルタとにより、前記入力されたオーディオ信号から前記スピーカが再生可能な周波数帯域外の低域と高域のオーディオ信号成分をカットし、前記スピーカ駆動用アンプへ入力するように構成したことを特徴とするスピーカシステム。
【発明の詳細な説明】
【技術分野】
【０００１】
本発明は、電池駆動されるアクティブ・スピーカシステムやワイヤレス・スピーカシステム等のスピーカシステムにおける消費電力低減方法およびスピーカシステムに関する。
【背景技術】
【０００２】
一般に、スピーカの物理的な特性（構造・材質など）から、そのスピーカが再生可能な周波数帯域が決まる。このように、スピーカ自体は、実際には、再生可能な周波数帯域に制限があるにもかかわらず、ソース機器側からスピーカへ入力されるオーディオ信号は、特に、意図的に制限されることなく、そのまま、スピーカへ入力している。
【０００３】
特に、電池駆動されるアクティブ・スピーカシステムやワイヤレス・スピーカシステムなどのスピーカシステムには、アンプを内蔵しているものが多いが、スピーカが再生可能な周波数帯域に合わせてアンプ側で再生周波数帯域の制限を行なうようなことは、実施されていない。
【０００４】
また、これとは別に、電池駆動による携帯電話や音響機器において、消費電力を抑制しつつ、電池の残量を認識することができるようにした技術手段が開示されている（例えば、特許文献１参照）。
【０００５】
この特許文献１に開示されている電池駆動による携帯電話や音響機器は、従来、電池の残量をユーザーに認識させるために、警告音やバイブレータによる振動等を発生させる手段がとられていたため、消費電力が大きいという問題があり、この課題を解消するために、電源電池の残り容量の減少に応じて、スピーカから再生される再生音の品質を段階的に低下していく処理（再生音を歪ませる処理やノイズを付加する処理等）を施し、消費電力を抑制しつつ、ユーザーへ電池容量の残量低下を知らせ、電池の使用状態を認識できるように構成している。
【０００６】
【特許文献１】特開平１１−２６１９８２号公報
【発明の開示】
【発明が解決しようとする課題】
【０００７】
上述したように、スピーカの物理的特性などによって、スピーカ自体に再生可能な周波数帯に制限があるにもかかわらず、従来は、ソース機器側からスピーカ駆動用アンプへ入力されたオーディオ信号をそのままスピーカへ出力しており、再生不可能な周波数帯域のオーディオ信号は、スピーカ内部で損失になっている。このようなスピーカ内部における損失の発生は、特に、電池駆動されるアクティブ・スピーカシステムやワイヤレス・スピーカシステムなどのスピーカシステムでは、電源電池の持続時間低下につながる問題があった。
【０００８】
本発明は、このような従来の構成が有していた問題を解決しようとするものであり、その目的とするところは、スピーカが再生可能な周波数帯域に制限されたオーディオ信号をスピーカ駆動用アンプへ入力することで、スピーカの無駄な駆動を抑え、消費電力を低減し、ひいては、電源電池の寿命を長くすることができるスピーカシステムの消費電力低減方法およびスピーカシステムを提供することにある。
【課題を解決するための手段】
【０００９】
上記の目的を達成するために、本発明は、電源電池から供給される電力により動作し、入力されたオーディオ信号を増幅するスピーカ駆動用アンプと、前記スピーカ駆動用アンプの出力により駆動されるスピーカとを備えたスピーカシステムの消費電力低減方法であって、オーディオ信号を入力するオーディオ信号入力ステップと、前記入力されたオーディオ信号から前記スピーカが再生可能な周波数帯域外のオーディオ信号をカットする再生周波数帯域制限ステップと、前記再生周波数帯域制限ステップによって得た前記スピーカが再生可能な周波数帯域に制限されたオーディオ信号を入力し増幅するオーディオ信号増幅ステップと、前記オーディオ信号増幅ステップによって増幅された前記スピーカが再生可能な周波数帯域に制限されたオーディオ信号を前記スピーカへ供給し再生するオーディオ信号再生ステップとからなることを特徴としている。
【００１０】
また、本発明は、電源電池から供給される電力により動作し、入力されたオーディオ信号を増幅するスピーカ駆動用アンプと、前記スピーカ駆動用アンプの出力により駆動されるスピーカとを備えたスピーカシステムにおいて、前記入力されたオーディオ信号から前記スピーカが再生可能な周波数帯域外のオーディオ信号をカットし、前記スピーカの再生可能な周波数帯域に制限されたオーディオ信号を前記スピーカ駆動用アンプへ入力するように構成したことを特徴としている。
【００１１】
また、本発明は、電源電池と、前記電源電池から供給される電力により動作し、入力されたオーディオ信号を増幅するスピーカ駆動用アンプと、前記スピーカ駆動用アンプの出力により駆動されるスピーカとを備えたスピーカシステムにおいて、前記入力されたオーディオ信号から前記スピーカが再生可能な周波数帯域外のオーディオ信号をカットする再生周波数帯域制限手段を前記スピーカ駆動用アンプより前段に備えたことを特徴としている。
【００１２】
さらに、本発明は、上記スピーカシステムにおいて、以下の態様の発明をも提供するものである。
【００１３】
すなわち、前記再生周波数帯域制限手段を介して得た前記スピーカが再生可能な周波数帯域に制限したオーディオ信号と、全周波数帯域を含むオーディオ信号とを切り換えて前記スピーカ駆動用アンプへ入力する切り換え手段を前記スピーカ駆動用アンプの前段に設けたことを特徴としている。
【００１４】
また、前記切り換え手段は、前記電源電池の残り容量を監視する電源監視手段と、前記電源監視手段の監視により前記電源電池の残り容量が所定値以下となったことが検出されたときに、前記再生周波数帯域制限手段を介して得た前記スピーカが再生可能な周波数帯域に制限されたオーディオ信号を前記スピーカ駆動用アンプへ入力するように切り換え制御する制御手段とを備えたことを特徴としている。
【００１５】
さらに、本発明は、電源電池と、前記電源電池から供給される電力により動作し、入力されたオーディオ信号を増幅するスピーカ駆動用アンプと、前記スピーカ駆動用アンプの出力により駆動されるスピーカとを備えたスピーカシステムにおいて、前記スピーカ駆動用アンプの入力側に設けたハイパス・フィルタと、前記スピーカ駆動用アンプに組み込まれている発振防止用のローパス・フィルタとにより、前記入力されたオーディオ信号から前記スピーカが再生可能な周波数帯域外の低域と高域のオーディオ信号成分をカットし、前記スピーカ駆動用アンプへ入力するように構成したことを特徴としている。
【発明の効果】
【００１６】
本発明のスピーカシステムの消費電力低減方法およびスピーカシステムは、スピーカが再生可能な周波数帯域に制限されたオーディオ信号をスピーカ駆動用アンプへ入力することで、スピーカの無駄な駆動を抑えることが可能となり、消費電力を低減することができ、電源電池の寿命を長くすることができる。
【発明を実施するための最良の形態】
【００１７】
以下、本発明の実施の形態を図１〜図４に基づいて説明する。なお、本発明は、以下に述べる実施の形態になんら限定されるものではなく、その要旨を逸脱しない範囲において、種々なる態様で実施することができる。また、図２〜図４では、図１に示す実施の形態において示した構成と同一ないしは、対応する構成には、同一符号を付して説明する。
【実施例１】
【００１８】
図１は本発明の第１の実施の形態に係る電池駆動のスピーカシステムの構成を示すブロック図である。
【００１９】
この図１に示す第１の実施の形態における電池駆動のスピーカシステムは、電池駆動のアクティブ・スピーカシステム１に本発明を実施した場合の一例を示している。
【００２０】
図１に示すアクティブ・スピーカシステム１の特長とするところは、スピーカ駆動用アンプ５より前段において、スピーカ６が再生可能な周波数帯域外の低域と高域のオーディオ信号成分をカットし、スピーカ６の再生可能な周波数帯域に制限されたオーディオ信号をスピーカ駆動用アンプ５へ入力するように構成した点にある。
【００２１】
この図１に示すアクティブ・スピーカシステム１は、外部のソース機器（図示しない）等からのオーディオ信号を入力する入力端子２と、電源電池３と、この電源電池３から供給される電力により動作し、入力端子２へ入力されたオーディオ信号から特定の周波数のみを通過させるバンドパス・フィルタ４と、電源電池３から供給される電力により動作し、バンドパス・フィルタ４から出力されたオーディオ信号を増幅するスピーカ駆動用アンプ５と、スピーカ駆動用アンプ５において増幅されたオーディオ信号に基づき駆動されるスピーカ６とを備えている。
【００２２】
上記のバンドパス・フィルタ４は、入力端子２へ入力されたオーディオ信号からスピーカ６が再生可能な周波数帯域外の低域および高域のオーディオ信号成分をカットする再生周波数帯域制限手段としての機能を有している。
【００２３】
このように構成した、バンドパス・フィルタ４をスピーカ駆動用アンプ５より前段に設けることによって、入力端子２へ入力されたオーディオ信号からスピーカ６が再生可能な周波数帯域に制限されたオーディオ信号をスピーカ駆動用アンプ５へ入力することができる。
【００２４】
この結果、図１に示す第１の実施の形態におけるアクティブ・スピーカシステム１は、スピーカ６が再生可能な周波数帯域に制限されたオーディオ信号をスピーカ駆動用アンプ５へ入力することで、スピーカの無駄な駆動を抑えることが可能となり、消費電力を低減することができ、電源電池３の寿命を長くすることができる。
【実施例２】
【００２５】
図２の（ａ）は、本発明の第２の実施の形態に係るワイヤレス・スピーカシステム７の構成を示すブロック図である。この図２の（ａ）に示す第２の実施の形態は、ワイヤレス・スピーカシステム７に本発明を実施した場合の一例を示している。
【００２６】
図２の（ａ）に示すワイヤレス・スピーカシステム７の特長とするところは、電池駆動の受信ユニット７２側において、スピーカ駆動用アンプ５より前段で、スピーカ６が再生可能な周波数帯域外の低域と高域のオーディオ信号成分をカットし、スピーカ６の再生可能な周波数帯域に制限されたオーディオ信号をスピーカ駆動用アンプ５へ入力するように構成した点にある。
【００２７】
図２の（ａ）に示すワイヤレス・スピーカシステム７は、送信ユニット７１および受信ユニット７２によって構成されている。
【００２８】
送信ユニット７１は、オーディオ信号が入力される入力端子２と、ＡＣ電源または電池電源からなる電源部８と、送信アンテナを含む送信回路９とを備えている。
【００２９】
一方、受信ユニット７２は、電源電池３と、この電源電池３から供給される電力により動作し、送信ユニット７１側から送信されてくる電波を受信する受信アンテナを含む受信回路１０と、電源電池３から供給される電力により動作し、受信回路１０で受信されたオーディオ信号出力から特定な周波数のみを通過させるバンドパス・フィルタ４と、電源電池３から供給される電力により動作し、バンドパス・フィルタ４から出力されたオーディオ信号を増幅するスピーカ駆動用アンプ５と、スピーカ駆動用アンプ５において増幅されたオーディオ信号に基づき駆動されるスピーカ６とを備えている。
【００３０】
上記のバンドパス・フィルタ４は、受信回路１０において受信し、出力されたオーディオ信号からスピーカ６が再生可能な周波数帯域外の低域および高域のオーディオ信号成分をカットするように構成されている。
【００３１】
このように構成したバンドパス・フィルタ４をスピーカ駆動用アンプ５より前段に設けることによって、受信回路１０で受信されたオーディオ信号出力からスピーカ６が再生可能な周波数帯域に制限されたオーディオ信号をスピーカ駆動用アンプ５へ入力することができる。
【００３２】
この結果、図２の（ａ）に示す第２の実施の形態におけるワイヤレス・スピーカシステム７は、スピーカ６が再生可能な周波数帯域に制限されたオーディオ信号をスピーカ駆動用アンプ５へ入力することで、スピーカの無駄な駆動を抑えることが可能となり、消費電力を低減することができ、電源電池３の寿命を長くすることができる。
【実施例３】
【００３３】
図２の（ｂ）は、本発明の第３の実施の形態に係るワイヤレス・スピーカシステム７の構成を示すブロック図である。
【００３４】
この図２の（ｂ）に示すワイヤレス・スピーカシステム７の特長とするところは、送信ユニット７１側の送信回路９より前段において、入力されたオーディオ信号から受信ユニット７２側のスピーカ６が再生可能な周波数帯域外の低域と高域のオーディオ信号成分をカットし、受信ユニット７２側のスピーカ６が再生可能な周波数帯域に制限されたオーディオ信号を送信回路９へ入力するように構成した点にある。
【００３５】
図２の（ｂ）に示す送信ユニット７１に設けたバンドパス・フィルタ４は、入力端子２に入力されたオーディオ信号から受信ユニット７２側のスピーカ６が再生可能な周波数帯域外の低域および高域のオーディオ信号成分をカットするように構成されている。
【００３６】
このように、バンドパス・フィルタ４を送信ユニット７１の送信回路９より前段に設けることによって、送信ユニット７１側において、受信ユニット７２側のスピーカ６が再生可能な周波数帯域に制限されたオーディオ信号を送信することができる。
【００３７】
一方、受信ユニット７２側では、送信ユニット７１側であらかじめスピーカ６が再生可能な周波数帯域に制限されたオーディオ信号が受信され、その受信出力をスピーカ駆動用アンプ５へ入力することができる。
【００３８】
この結果、図２の（ｂ）に示す第３の実施の形態におけるワイヤレス・スピーカシステム７は、受信ユニット７２側において、スピーカ６が再生可能な周波数帯域に制限されたオーディオ信号が受信され、その受信されたオーディオ信号をスピーカ駆動用アンプ５へ入力することで、スピーカの無駄な駆動を抑えることが可能となり、消費電力を低減することができ、電源電池３の寿命を長くすることができる。
【実施例４】
【００３９】
図３の（ａ）は、本発明の第４の実施の形態に係る電池駆動のスピーカシステムの構成を示すブロック図である。この図３の（ａ）に示すスピーカシステムは、電池駆動のアクティブ・スピーカシステム１に、本発明を実施した場合の一例を示している。
【００４０】
図３の（ａ）に示す電池駆動のアクティブ・スピーカシステム１の特長とするところは、スピーカ駆動用アンプ５より前段においてスピーカ６が再生可能な周波数帯域外の低域と高域のオーディオ信号成分をカットし、スピーカ６の再生可能な周波数帯域に制限されたオーディオ信号をスピーカ駆動用アンプ５へ入力するように構成した点にある。
【００４１】
さらに、上記の特長に加えて、スピーカ駆動用アンプ５の入力側に切り換えスイッチ１１を設け、電池電源３の電池容量が所定値を超えている間は、全周波数帯域を含むオーディオ信号をスピーカ駆動用アンプ５へ入力し、また、電池電源３の電池容量が所定値以下となったときは、スピーカ６の再生可能な周波数帯域に制限されたオーディオ信号をスピーカ駆動用アンプ５へ自動的に切り換えて入力するように構成した点にある。
【００４２】
図３の（ａ）に示すアクティブ・スピーカシステム１は、外部のソース機器（図示しない）等からのオーディオ信号を入力する入力端子２と、電源電池３と、この電源電池３から供給される電力により動作し、入力端子２へ入力されたオーディオ信号からスピーカ６が再生可能な周波数帯域外の低域および高域のオーディオ信号成分をカットするバンドパス・フィルタ４と、電源電池３から供給される電力により動作し、バンドパス・フィルタ４から出力されたオーディオ信号を増幅するスピーカ駆動用アンプ５と、スピーカ駆動用アンプ５において増幅されたオーディオ信号に基づき駆動されるスピーカ６とを備えている。
【００４３】
さらに、このアクティブ・スピーカシステム１は、スピーカ駆動アンプ５の入力側に自動的に切り換え動作する切り換えスイッチ１１を設けている。この切り換えスイッチ１１を切り換え動作することによって、入力端子２へ入力されたオーディオ信号がバンドパス・フィルタ４をスルーする経路を経てスピーカ駆動アンプ５へ入力、または、バンドパス・フィルタ４を経てスピーカ駆動用アンプ５へ入力するように構成されている。
【００４４】
したがって、切り換えスイッチ１１の切り換え動作に基づき、スピーカ駆動用アンプ５は、入力端子２へ入力された全周波数帯域を含むオーディオ信号、または、バンドパス・フィルタ４を介して得たスピーカ６が再生可能な周波数帯域に制限されたオーディオ信号のいずれか一方のオーディオ信号が入力される。
【００４５】
この切り換えスイッチ１１は、例えば、マイクロコンピュータ（図示しない）において電源電池３の残り容量を監視し、その監視に電源電池３の容量が所定値を超えていると検出されている間は、入力端子２へ入力された全周波数帯域を含むオーディオ信号を直接スピーカ駆動用アンプ５へ入力するように構成されている。
【００４６】
一方、電源電池３の容量が所定値以下となったことが検出されたときは、バンドパス・フィルタ４を介して得たスピーカ６が再生可能な周波数帯域に制限されたオーディオ信号のみをスピーカ駆動用アンプ５へ入力するように自動的に切り換え動作するように構成されている。
【００４７】
このように、スピーカ駆動用アンプ５の入力側に、電池残量に応じて自動的に切り換える切り換えスイッチ１１を設けたことによって、電源電池の容量が所定値を超えた状態の電池容量に余裕がある間は、入力端子２へ入力された全周波数帯域のオーディオ信号を直接スピーカ駆動用アンプ５へ入力し、音質の良い再生音を聴取することができる。
【００４８】
一方、電源電池が所定値以下となったときは、スピーカ６が再生可能な周波数帯域に制限されたオーディオ信号をスピーカ駆動用アンプ５へ入力し、スピーカ６の無駄な駆動を抑えることが可能となり、消費電力を低減することができ、電源電池３の寿命を長くすることができる。
【実施例５】
【００４９】
図３の（ｂ）は、本発明の第５の実施の形態に係る電池駆動のスピーカシステムの構成を示すブロック図である。この図３の（ｂ）に示すスピーカシステムは、電池駆動のアクティブ・スピーカシステム１に、本発明を実施した場合の一例を示している。
【００５０】
図３の（ｂ）に示す電池駆動のアクティブ・スピーカシステム１の特長とするところは、スピーカ駆動用アンプ５より前段においてスピーカ６が再生可能な周波数帯域外の低域と高域のオーディオ信号成分をカットし、スピーカ６の再生可能な周波数帯域に制限されたオーディオ信号をスピーカ駆動用アンプ５へ入力するように構成した点にある。
【００５１】
さらに、上記の特長に加えて、スピーカ駆動用アンプ５の入力側に手動の切り換えスイッチ１２を設け、全周波数帯域を含むオーディオ信号をスピーカ駆動用アンプ５へ入力、または、スピーカ６の再生可能な周波数帯域に制限されたオーディオ信号をスピーカ駆動用アンプ５へ入力するように構成した点にある。
【００５２】
図３の（ｂ）に示すアクティブ・スピーカシステム１は、外部のソース機器（図示しない）等からのオーディオ信号を入力する入力端子２と、電源電池３と、この電源電池３から供給される電力により動作し、入力端子２へ入力されたオーディオ信号からスピーカ６が再生可能な周波数帯域外の低域および高域のオーディオ信号成分をカットするバンドパス・フィルタ４と、電源電池３から供給される電力により動作し、バンドパス・フィルタ４から出力されたオーディオ信号を増幅するスピーカ駆動用アンプ５と、スピーカ駆動用アンプ５において増幅されたオーディオ信号に基づき駆動されるスピーカ６とを備えている。
【００５３】
さらに、このアクティブ・スピーカシステム１は、スピーカ駆動アンプ５の入力側にユーザーが切り換え操作する手動の切り換えスイッチ１２を設けている。この切り換えスイッチ１２を切り換えることによって、入力端子２へ入力されたオーディオ信号がバンドパス・フィルタ４をスルーする経路を経てスピーカ駆動アンプ５へ入力、または、バンドパス・フィルタ４を経てスピーカ駆動用アンプ５へ入力されるように構成されている。
【００５４】
したがって、ユーザーによる切り換えスイッチ１２の切り換え操作に基づき、スピーカ駆動用アンプ５は、入力端子２へ入力された全周波数帯域を含むオーディオ信号、または、バンドパス・フィルタ４を介して得たスピーカ６が再生可能な周波数帯域に制限されたオーディオ信号のいずれか一方のオーディオ信号が入力される。
【００５５】
このように、スピーカ駆動用アンプ５の入力側に、ユーザーの手動操作により切り換える切り換えスイッチ１２を設けたことによって、ユーザーの判断に基づき、入力端子２へ入力された全周波数帯域を含むオーディオ信号を直接スピーカ駆動用アンプ５へ入力し、音質の良い再生音を聴取することができるようにするか、あるいは、消費電力の低減を優先させて、スピーカ６が再生可能な周波数帯域に制限されたオーディオ信号をスピーカ駆動用アンプ５へ入力することで、スピーカ６の無駄な駆動を抑え、消費電力を低減することができ、電源電池３の寿命を長くするかを選択することが可能となる。
【実施例６】
【００５６】
図４は本発明の第６の実施の形態に係るスピーカシステムの構成を示すブロック図である。
【００５７】
この図４に示す電池駆動のスピーカシステムの特長とするところは、スピーカ駆動用アンプ５の入力側に設けたハイパス・フィルタ１３と、スピーカ駆動用アンプ５に組み込まれている帰還回路（ローパス・フィルタ）５１とにより形成されるバンドパス・フィルタ特性によって、入力端子２へ入力されたオーディオ信号からスピーカ６が再生可能な周波数帯域外の低域と高域のオーディオ信号成分をカットし、増幅する点にある。
【００５８】
図４に示す電池駆動のスピーカシステムは、外部のソース機器（図示しない）等からのオーディオ信号を入力する入力端子２と、電源電池（図示しない）から供給される電力により動作し、入力端子２へ入力されたオーディオ信号の中から特定の周波数のみを通過させるハイパス・フィルタ１３と、電源電池から供給される電力により動作し、ハイパス・フィルタ１３から出力されたオーディオ信号を増幅するスピーカ駆動用アンプ５と、スピーカ駆動用アンプ５において増幅されたオーディオ信号に基づき駆動されるスピーカ６とを備えている。
【００５９】
上記のスピーカ駆動用アンプ５には、ローパス・フィルタとしての特性を有する発振防止用の帰還回路５１が組み込まれている。このローパス・フィルタとしての特性を有する発振防止用の帰還回路５１と、スピーカ駆動用アンプ５の入力側に設けたハイパス・フィルタ１３とにより形成されるバンドパス・フィルタ特性によって、入力端子２へ入力されたオーディオ信号からスピーカ６が再生可能な周波数帯域外の低域および高域のオーディオ信号成分をカットし、スピーカ６が再生可能な周波数帯域に制限されたオーディオ信号をスピーカ駆動用アンプ５へ入力するように構成されている。
【００６０】
このように構成したことによって、図４に示す第６の実施の形態における電池駆動のスピーカシステムは、スピーカ６が再生可能な周波数帯域に制限されたオーディオ信号をスピーカ駆動用アンプ５へ入力することで、スピーカの無駄な駆動を抑えることが可能となり、消費電力を低減することができ、電源電池の寿命を長くすることができる。
【００６１】
なお、実際には、スピーカ駆動用アンプ５の構成上、直流分まで増幅できずにオーディオ信号の低域がカットされるものがそのほとんどである。したがって、この低域がカットされる事象と、発振防止用の帰還回路５１が持つローパス・フィルタ特性とを合わせると、結果的に、スピーカ駆動用アンプ５自体がバンドパス・フィルタ特性を持っていることになり、あらためて、バンドパス・フィルタなどをスピーカ駆動用アンプ５の前段に設けることなく、スピーカ駆動用アンプ５を構成する回路内のフィルタ特性を調整し、本発明の目的を達成することは可能である。
【００６２】
ただし、スピーカ駆動用アンプ５が本発明の趣旨に合ったフィルタ特性、すなわち、スピーカ６の再生可能な周波数帯域に合わせたフィルタ設計となっていない場合は、本発明の趣旨に合ったフィルタ設計とする必要がある。
【実施例７】
【００６３】
上述の各実施の形態においては、バンドパス・フィルタ等を用いて、入力されたオーディオ信号の低域と高域をカットし、スピーカが再生可能な周波数帯域に制限されたオーディオ信号をスピーカ駆動用アンプへ入力してスピーカの無駄な駆動を抑え、消費電力を低減するように構成しているが、この第７の実施の形態に係る電池駆動のスピーカシステムは、入力されたオーディオ信号の低域のみをカットし、その低域をカットしたオーディオ信号をスピーカ駆動用アンプへ入力するように構成したことを特長としている。
【００６４】
ポータブルオーディオ機器において使用されているイヤホンやスピーカには、低音域が充分再生出力できないものが多い。したがって、入力されたオーディオ信号の低域をカットしてからスピーカ駆動用アンプへ入力して増幅し、イヤホンあるいはスピーカで再生しても、聴感上大きな変化は感じられない。このように、入力されたオーディオ信号の低域のみをカットすることによって、イヤホンあるいはスピーカの無駄な駆動を抑えることができ、消費電力を低減することができる。
【図面の簡単な説明】
【００６５】
【図１】本発明に係る第１の実施形態におけるスピーカシステムの構成を示すブロック図である。
【図２】本発明に係る第２および第３の実施形態におけるスピーカシステムの構成を示すブロック図である。
【図３】本発明に係る第４および第５の実施形態におけるスピーカシステムの構成を示すブロック図である。
【図４】本発明に係る第６の実施形態におけるスピーカシステムの構成を示すブロック図である。
【符号の説明】
【００６６】
１      アクティブ・スピーカシステム
２      入力端子
３      電源電池
４      バンドパス・フィルタ（再生周波数帯域制限手段）
５      スピーカ駆動用アンプ
５１    帰還回路
６      スピーカ
７      ワイヤレス・スピーカシステム
７１    送信ユニット
７２    受信ユニット
８      電源部
９      送信回路
１０    受信回路
１１    切り換えスイッチ（自動）
１２    切り換えスイッチ（手動）
１３    ハイパス・フィルタ
【図１】
2009111663.tif 000003
【図２】
2009111663.tif 000004
【図３】
2009111663.tif 000005
【図４】
2009111663.tif 000006